(57)【要約】【課題】      ショップに陳列してあるブックの立ち読みを防止する。【解決手段】  裏面が対向する対の抜け止め板１、２と、この一方の抜け止め板の裏面一側から前記裏面の反対方向に突出するように設けた挿入板３と、上記他方の抜け止め板の裏面一側から前記裏面の反対方向に突出すると共に、上記挿入板の挿入をガイドするように設けたガイド筒４と、このガイド筒と上記挿入板との対向面に伸縮調整を可能な係合関係にするように設けた多段な係合手段Ｋと、上記少なくとも片方の抜け止め板の片端にブックの背表紙の表面に位置するように設けたストッパ７と、上記抜け止め板の裏面他側の上記ストッパから前記抜け止め板の他端に単数或いは点在的に複数設けたブックの綴じ込み紙の抱き込み片９とからなる構成を採用する。【選択図】図２
2008104837.tif 000002
【特許請求の範囲】
【請求項１】
裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と上記挿入板との対向面に伸縮調整を可能な係合関係にするように設けた多段な係合手段と、上記少なくとも片方の抜け止め板の片端にブックの背表紙の表面に位置するように設けたストッパと、上記抜け止め板の裏面他側の上記ストッパから前記抜け止め板の他端に単数或いは点在的に複数設けたブック又はブックの綴じ込み紙の抱き込み片とからなるブックの立ち読み防止装置。
【請求項２】
裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と上記挿入板との対向面に伸縮調整を可能な係合関係にするように設けた多段な係合手段と、上記少なくとも片方の抜け止め板の片端にブックの背表紙の表面に位置するように設けたストッパと、上記抜け止め板の裏面他側の上記ストッパから前記抜け止め板の他端に単数或いは点在的に複数設けたブック又はブックの綴じ込み紙の抱き込み片とからなり、上記抜け止め板の裏面一側の一端にブックの背表紙側の通過を阻止するブック又はブックの綴込み紙の抱き込み突出片を設けたことを特徴とするブックの立ち読み、抜き取り防止装置。
【請求項３】
裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と上記挿入板との対向面に伸縮調整を可能な係合関係にするように設けた多段な係合手段と、上記少なくとも片方の抜け止め板の片端にブックの背表紙の表面に位置するように設けたストッパと、上記抜け止め板の裏面他側の上記ストッパから前記抜け止め板の他端に単数或いは点在的に複数設けたブック又はブックの綴じ込み紙の抱き込み片とからなり、上記抜け止め板の裏面一側にストッパの側縁に対しブックの表紙及び綴込み紙の一部の通過を許容する間隙を設けてブック又はブックの抱き込み突出片を突出させたことを特徴とするブックの立ち読み、抜き取り防止装置。
【請求項４】
裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と上記挿入板との対向面に伸縮調整を可能な係合関係にするように設けた多段な係合手段と、上記少なくとも片方の抜け止め板の片端にブックの背表紙の表面に位置するように設けたストッパと、上記抜け止め板の裏面他側の上記ストッパから前記抜け止め板の他端に単数或いは点在的に複数設けたブック又はブックの綴じ込み紙の抱き込み片とからなり、前記抜け止め板、挿入板、ガイド筒、ストッパのいずれかに盗難防止タグを設けたことを特徴とするブックの立ち読み、盗難防止装置。
【請求項５】
裏面が対向する対の抜け止め板と、この両抜け止め板の裏面一側から前記裏面の反対方向に突出する挿入板及びこの挿入板の挿入をガイドするガイド筒と、このガイド筒と挿入板との対向面に伸縮調整可能な係合関係になるように設けた多段な係合手段と、上記少なくとも片方の抜け止め板の一端にブックの背表紙の表面に位置するよう突出させてあるストッパと、上記抜け止め板の裏面他側から突出するブック又は、ブックの綴じ込み紙の抱き込み片とからなり、ブックの表裏紙の片方の表面や所望の綴じ込み紙に伸長状態のガイド筒及び挿入板を重ねたのち、ガイド筒及び挿入板の片方次いでもう片方或いは両方を収縮方向にスライドさせながらブックの綴じ込み紙間に抱き込み片を食い込ませながら、ブックに抜け止め板を当接すると共に、ブックの背表紙の表面にストッパを位置させて、係止手段の係止関係によりガイド筒及び挿入板の伸長スライドを阻止してブックにセットするようにしたことを特徴とするブックの立ち読み防止装置のセット方法。
【請求項６】
取付け保持手段を有する基板と、この基板の側縁から上記基板の裏面の反対方向に突出するブックの抱き込み板とからなるブックの捲り防止具。
【請求項７】
裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と上記挿入板との対向面に伸縮調整可能な係合関係にするように設けた多段な係合手段と、上記抜け止め板の裏面他側の一端から他端に単数或いは点在的に複数設けたブック或いはブックの綴込み紙の抱き込み片と、上記抜け止め板の裏面一端から他端方向に重ねる板状体と、この板状体の一端から上記抜けどめ板の裏面の反対方向に突出させてブックの背表紙の表面に位置するように設けたストッパと、上記板状体に上記抱き込み片が貫通するように設けた結合用の貫窓とからなるブックの立ち読み防止装置。
【請求項８】
裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と上記挿入板との対向面に伸縮調整可能な係合関係にするように設けた多段な係合手段と、上記抜け止め板の裏面他側の一端から他端に単数或いは点在的に複数設けたブック或いはブックの綴込み紙の抱き込み片と、上記抜け止め板の裏面一端から他端方向に重ねる板状体と、この板状体の一端から上記抜けどめ板の裏面の反対方向に突出させてブックの背表紙の表面に位置するように設けたストッパと、上記板状体に上記抱き込み片が貫通するように設けた結合用の貫窓とからなり、上記板状体の上記挿入板及びガイド筒の反対側の縁に前記板状体の裏面の反対方向に突出するブックの綴込み紙の抱き込み板を設けたことを特徴とするブックの立ち読み防止装置。
【請求項９】
裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と上記挿入板との対向面に伸縮調整可能な係合関係にするように設けた多段な係合手段と、上記抜け止め板の裏面他側の一端から他端に単数或いは点在的に複数設けたブック或いはブックの綴込み紙の抱き込み片と、上記両抜け止め板の裏面一端から他端方向に重ねる板状体と、この板状体の一端から上記抜けどめ板の裏面の反対方向に突出させてブックの背表紙の表面に位置するように設けたストッパと、上記板状体に上記抱き込み片が貫通するように設けた結合用の貫窓とからなり、上記板状体の上記挿入板及びガイド筒の反対側の縁に前記板状体の裏面の反対方向に突出するブック又はブックの綴込み紙の抱き込み板を設け、上記抱き込み板の側縁にストッパの側縁に対しブックの表紙及び綴込み紙の一部の通過を許容する間隙を設けたことを特徴とするブックの立ち読み、抜き取り防止装置。
【請求項１０】
裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と挿入板との対向面に伸縮調整可能な係合関係になるように設けた多段の係合手段と、上記抜け止め板の裏面一端から他端方向に重ねる板状体と、この重なった板状体と上記抜け止め板とを結合するように設けた結合手段と、上記板状体の一端から抜け止め板の裏面の反対方向に突出させてブックの背表紙の表面に位置するよう設けたストッパと、上記板状体の裏面他側上にストッパ側端から他端に単数或いは点在的に複数設けたブック又はブックの綴じ込み紙の抱き込み片とからなるブックの立ち読み防止装置。
【請求項１１】
裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と挿入板との対向面に伸縮調整可能な係合関係になるように設けた多段の係合手段と、上記抜け止め板の一端にブックの背表紙の表面に位置するよう設けたストッパと、上記抜け止め板の裏面に重ねる板状体と、この板状体と上記抜け止め板とに設けた結合手段と、上記板状体の裏面他側縁上に上記ストッパ側端から他端に単数或いは点在的に複数設けたブック又はブックの綴じ込み紙の抱き込み片とからなるブックの立ち読み防止装置。
【請求項１２】
前記抜け止め板、挿入板、ガイド筒、ストッパ、板状体、抱き込み板のいずれかに盗難防止タグを設けたことを特徴とする請求項７、８、９、１０又は１１に記載のブックの立ち読み、盗難防止装置。
【発明の詳細な説明】
【技術分野】
【０００１】  この発明は、ショップに陳列してあるブックの立ち読みや盗難を防止する方法及びその装置に関する。
【背景技術】
【０００２】  ブックは、ショップの棚に並べ、又は陳列台に積み重ねて陳列してある。【０００３】  すると、顧客は、ページを捲って読むことができるので、立ち読みにともない購買欲が低下し、又ページが傷み或いは汚れなどの原因により商品価値がなくなるなどの問題が発生した。【０００４】  そこで、図４１に示すように包装材１０１としての透明な袋やフィルムによりブック１０２を包装して上述の問題を解消している。【０００５】  しかしながら、顧客による包装ずみブックの持ち出しが出来るので、盗難を防止することができない。【０００６】  このため、図４２に示すように包装材１０１による包装ずみブック１０２に盗難防止タグ１０３を具備したものがある。【０００７】  上記の盗難防止タグ１０３は、包装前のブック１０２の綴じ込み紙間に差し込むシート１０４に取付けてあり、盗難防止タグ１０３は、周知のように、例えば固有のＩＤコードをもち、ショップの出入口を通過の際、出入口に設置してある電磁界の発生により共振回路が共振して固有のＩＤコードの発信にともない高周波電磁界を変調させて、ショップからの持ち出しを検出する。【０００８】  しかしながら、立ち読みを防止するためにブックを１冊毎包装するので、著しく手数がかかり、又ブック１０２に盗難防止タグ１０３付のシート１０４を一々差し込むので、著しく手数がかかると共に、大幅な出費になるなどの問題があった。【０００９】  そこで、周囲の開口からケースに商品を収納したのち、ケースのガイド手段により案内してスライダを差し込みながら、差し込み終了にともない係合関係になる係止手段により上記スライダのショップ以外による抜き取りを阻止すると共に、この状況下でスライダのストッパにより上記開口の一部を閉鎖して、ケース内の商品の抜き取りを阻止し、ケース毎商品のショップ外への持ち出しを、上記スライダに設けてあるタグにより検出するようにしたものがある（特許文献１）。【００１０】  また上記以外に、周囲の開口からケースに商品を収納したのち、スライダのスライドにともない揺動体を押え込みながら、揺動体のストッパにより上記開口の一部を閉鎖することで、ケース内の商品の抜き取りを阻止する。勿論、揺動体の押え込みの解除は、ショップ側でロック装置のロックを解除することでできる（特許文献２）。【００１１】  すると、上記のようなケースに商品としてブックを収納することで、陳列時のブックの抜き取りや、立ち読みは勿論のこと、ショップ外への持ち出しによる盗難を防止することができる。【００１２】
【特許文献１】  特許第３２３８９２０号公報
【００１３】
【特許文献２】  特許第３３９２７７７号公報
【発明の開示】
【発明が解決しようとする課題】
【００１４】  ところで、特許文献１及び２の盗難防止ケースをブック用に転用しようとしても、ブックの表表紙と裏表紙との間の厚みがケースを構成する収納用開口の両側の側壁間の内寸よりも大きいと、開口からケースにブックを収納（挿入）することができない。【００１５】  このため、ブックの厚みに制約を受ける問題があった。【００１６】  かりにブックの厚みが上述の内寸よりも大きくて、表裏表紙の少なくとも片方と余分な厚みに見合う綴じ込み紙を側壁の表面に露出させて挿入することで、ケースにブックを収納することができる。【００１７】  しかしながら、スライダを押し込んで、スライダのストッパにより開口の一部を閉鎖し、スライダのスライドにより揺動体を押し下げながら、揺動体のストッパにより開口の一部を閉鎖して、商品のブックの抜き取りを阻止しようとしても、ブックにストッパの先が衝突して所定の位置にストッパを到達させることができない。【００１８】  なお、開口の一部を閉鎖するストッパは、スライダの停止位置決めを係止手段により、また揺動体を押え込むスライダの停止位置決めをロック装置により行ったとき、開口の縁にストッパの裏面が接近して定位置になるようにしてある。【００１９】  上記の原因は、ケースの側壁を綴じ込み紙間や表裏表紙と綴じ込み紙間に介在させることで、綴じ代によって側壁の開口の縁がブックの背表紙の手前で停止する。すなわち、ブックの背表紙がケースの開口から外側に位置（突出）して、開口と同一或いは開口の内側にブックの背表紙の表面が収まらないことによる。【００２０】  このため、ケースに対しブックの厚みに制約を受ける問題があった。【００２１】  また、ケースの開口に対向する後面を後壁により閉鎖してあるので、ブックの背表紙と表裏表紙の自由端縁との寸法が、ケースの開口と後壁との間の寸法よりも大きい場合、ケースにブックを収納することができない問題もあった。【００２２】  さらに、ブックの丈の寸法は、さまざまである。【００２３】  すると、ブックの丈の寸法に合うケースを用意しなければならない問題が発生する以外に、寸法別の管理に手数がかかり、嵩が大きいために広い格納場所を必要とする問題もあった。【００２４】  特に特許文献２の構造によると、ケースに収納してある商品のケースに対する抜き取り防止手段が、ケースの頂壁の上側に存在するので、商品の丈に対しケースの丈が上記抜き取り防止手段の上方への飛び出しにより大きくなる。【００２５】  すると、陳列空間の丈を大きくしないとケースを立てて並べることができず、既存のブックの多段の陳列棚にケースを立てて並べることができず、かりに立てて並べることができても、ケースの前面の上角に指先を引っかけようとしても指先の挿入間隙が僅少のため指先を引っかけることができない。すなわち、既存の陳列棚にケースを並べることができない。【００２６】  そこで、この発明の課題は、ブックの厚みや丈に制約を受けないようにすると共に、ブックの上側にブックの抜け止め手段が存在しないようにして、上述のような問題を解消することにある。
【課題を解決するための手段】
【００２７】  上記の課題を解決するために、この発明は、裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と上記挿入板との対向面に伸縮調整を可能な係合関係にするように設けた多段な係合手段と、上記少なくとも片方の抜け止め板の片端にブックの背表紙の表面に位置するように設けたストッパと、上記抜け止め板の裏面他側の上記ストッパから前記抜け止め板の他端に単数或いは点在的に複数設けたブックの綴じ込み紙の抱き込み片とからなる構成を採用する。【００２８】  すると、ブックの抜き取りが、背表紙の表面に存在するストッパと、表裏表紙の片方の外側に存在する抜け止め板付のガイド筒及び挿入板と、綴じ込み紙間に食い込む抱き込み片により阻止され、陳列時の立ち読みの捲りをガイド筒と挿入板及び抱き込み片によって防止する。【００２９】  また、抜け止め板の裏面一側の一端にブックの背表紙側の通過を阻止するブックの抱き込み突出片を設けた構成を採用する。【００３０】  すると、突出片によるブックの抱き込みによって、ストッパの内側のブックの背表紙部分の無理やりな引き抜を阻止する。【００３１】  さらに、抜け止め板、挿入板、ガイド筒、ストッパのいずれかに盗難防止タグを設けたことにより、ショップ外の持ち出しを検出する。【００３２】  また、抜け止め板の裏面一側にストッパの側縁に対しブックの表紙及び綴じ込み紙の一部の通過を許容する間隙を設けてブックの抱き込み突出片を突出させた構成を採用することで、表紙と綴じ込み紙の一部を間隙に通過させて、通過した綴じ込み紙を捲ることができる。【００３３】  また、裏面が対向する対の抜け止め板と、この両抜け止め板の裏面一側から前記裏面の反対方向に突出する挿入板及びこの挿入板の挿入をガイドするガイド筒と、このガイド筒と挿入板との対向面に伸縮調整可能な係合関係になるように設けた多段な係合手段と、上記少なくとも片方の抜け止め板の一端にブックの背表紙の表面に位置するよう突出させてあるストッパと、上記抜け止め板の裏面他側から突出するブックの綴じ込み紙の抱き込み片とからなり、ブックの表裏紙の片方の表面や所望の綴じ込み紙に伸長状態のガイド筒及び挿入板を重ねたのち、ガイド筒及び挿入板の片方次いでもう片方或いは両方を収縮方向にスライドさせながらブックの綴じ込み紙間に抱き込み片を食い込ませながら、ブックに抜け止め板を当接すると共に、ブックの背表紙の表面にストッパを位置させて、係止手段の係止関係によりガイド筒及び挿入板の伸長スライドを阻止してブックにセットすることで、ブックに対するセット作業が容易になる。【００３４】  また、取付け保持手段を有する基板と、この基板の側縁から上記基板の裏面の反対方向に突出するブックの抱き込み板とからなるブックの捲り防止具を抜け止め板や板状体の裏面側にセットすることで、ブックの表紙の表面に片方の抱き込み板を外接し、又は片方の抱き込み板を綴じ込み紙間に突き刺して（このとき、もう片方の抱き込み板を綴じ込み紙に突き刺してあ��）、両抱き込み板によりブックを抱き込む。
すると、ブックの捲りを防止する。【００３５】  さらに、裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と上記挿入板との対向面に伸縮調整可能な係合関係にするように設けた多段な係合手段と、上記抜け止め板の裏面他側の一端から他端に単数或いは点在的に複数設けたブック或いはブックの綴込み紙の抱き込み片と、上記抜け止め板の裏面一端から他端方向に重ねる板状体と、この板状体の一端から上記抜けどめ板の裏面の反対方向に突出させてブックの背表紙の表面に位置するように設けたストッパと、上記板状体に上記抱き込み片が貫通するように設けた結合用の貫窓とからなる構成を採用する。【００３６】  すると、ブックの抜き取りが背表紙の表面にいちするストッパと表裏表紙の片方の外側に位置する挿入板及びガイド筒と、ブックの二面の抜け止め板と、ブックやブックの綴じ込み紙を抱き込む抱き込み片とにより阻止され、陳列時の立ち読みの捲りをガイド筒、挿入板及び抱き込み片によって防止する。【００３７】  また、裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と上記挿入板との対向面に伸縮調整可能な係合関係にするように設けた多段な係合手段と、上記抜け止め板の裏面他側の一端から他端に単数或いは点在的に複数設けたブック或いはブックの綴込み紙の抱き込み片と、上記抜け止め板の裏面一端から他端方向に重ねる板状体と、この板状体の一端から上記抜けどめ板の裏面の反対方向に突出させてブックの背表紙の表面に位置するように設けたストッパと、上記板状体に上記抱き込み片が貫通するように設けた結合用の貫窓とからなり、上記板状体の上記挿入板及びガイド筒の反対側の縁に前記板状体の裏面の反対方向に突出するブックの綴込み紙の抱き込み板を設けた構成を採用する。【００３８】  すると、ブックの抜き取りが背表紙の表面に位置するストッパと表裏表紙の片方の外側に位置する挿入板及びガイド筒、抜け止め板及び抱き込み片、もう片方の外側に位置する抱き込み板により阻止され、陳列時の立ち読みの捲りをガイド筒、挿入板及び抱き込み板によって防止する。【００３９】  さらに、裏面が対向する対の抜け止め板と、この一方の抜け止め板の裏面一側から前記裏面の反対方向に突出するように設けた挿入板と、上記他方の抜け止め板の裏面一側から前面の反対方向に突出すると共に、上記挿入板の挿入をガイドするように設けたガイド筒と、このガイド筒と挿入板との対向面に伸縮調整可能な係合関係になるように設けた多段の係合手段と、上記抜け止め板の裏面一端から他端方向に重ねる板状体と、この重なった板状体と上記抜け止め板とを結合するように設けた結合手段と、上記板状体の一端から抜け止め板の裏面の反対方向に突出させてブックの背表紙の表面に位置するよう設けたストッパと��上記板状体の裏面他側上にストッパ側端から他端に単数或いは点在的に複数設けたブックはブックの綴じ込み紙の抱き込み片とからなる構成を採用する。【００４０】  すると、ブックの抜き取りが背表紙の表面に位置するストッパと、表裏表紙の片方外側の挿入板及びガイド筒と、ブックの二面の抜け止め板と、ブックやブックの綴じ込み紙を抱き込む抱き込み片とで阻止すると共に、陳列時の捲りを挿入板、ガイド筒及び抱き込み片により防止する。【００４１】  また、裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と上記挿入板との対向面に伸縮調整可能な係合関係にするように設けた多段な係合手段と、上記抜け止め板の裏面他側の一端から他端に単数或いは点在的に複数設けたブック或いはブックの綴込み紙の抱き込み片と、上記両抜け止め板の裏面一端から他端方向に重ねる板状体と、この板状体の一端から上記抜けどめ板の裏面の反対方向に突出させてブックの背表紙の表面に位置するように設けたストッパと、上記板状体に上記抱き込み片が貫通するように設けた結合用の貫窓とからなり、上記板状体の上記挿入板及びガイド筒の反対側の縁に前記板状体の裏面の反対方向に突出するブック又はブックの綴込み紙の抱き込み板を設け、上記抱き込み板の側縁にストッパの側縁に対しブックの表紙及び綴込み紙の一部の通過を許容する間隙を設けた構成を採用して、間隙に表紙と綴じ込み紙の一部を通過させて、通過した綴じ込み紙を捲ることができるようにする。【００４２】  さらに、裏面が対向する対の抜け止め板と、この一方の抜け止め板の裏面一側から前記裏面の反対方向に突出するように設けた挿入板と、上記他方の抜け止め板の裏面一側から前記裏面の反対方向に突出すると共に、上記挿入板の挿入をガイドするように設けたガイド筒と、このガイド筒と挿入板との対向面に伸縮調整可能な係合関係になるように設けた多段の係合手段と、上記抜け止め板の一端にブックの背表紙の表面に位置するよう設けたストッパと、上記抜け止め板の裏面に重ねる板状体と、この板状体と上記抜け止め板とに設けた結合手段と、上記板状体の裏面他側縁上に上記ストッパ側端から他端に単数或いは点在的に複数設けたブック又はブックの綴じ込み紙の抱き込み片とからなる構成を採用して、ブックの抜き取りを背表紙の表面に位置するストッパと、表裏表紙の片方の外側に位置する挿入板及びガイド筒、そしてブックの二面の抜け止め板及び板状体によって防止し、またブックやブックの綴じ込み紙を抱き込む抱き込み片によって立ち読みの捲くりを防止する。【００４３】  また、抜け止め板、挿入板、ガイド筒、ストッパ、板状体、抱き込み板のいずれかに設けた盗難防止タグによってショップ外への持ち出しを検出する。
【発明の効果】
【００４４】  以上のように、この発明のブックの立ち読み防止装置によれば、ブックにセットすることで、ブックの背表紙の表面に存在するストッパと、片方の表裏表紙の外側に存在するガイド筒及び挿入板と、ブックの丈の両面に外接する抜け止め板と、抱き込み片によるブック又は綴じ込み紙の抱き込みとでブックの抜き取りが防止され、そして抱き込み片により或いは抱き込み片とガイド筒及び挿入板とで抱き込まれない表裏紙の片方及び綴じ込み紙の一部以外の捲くりができて、他の綴じ込み紙の捲りを抱き込み片により阻止する。すなわち、抱き込み片による抱き込みにより捲ろうとしても、抱き込み片の存在によってちゅうちょさせ、無理矢理捲ろうとすると抱き込み片の押さえ込みで綴じ込み紙が破れるので、なお一層ちゅうちょさせる。【００４５】  このため、ショップでの陳列時の立ち読みを防止することができると共に、ガイド筒と挿入板との多段な係合手段により係合関係になる範囲内での丈の相違するブックにも用いることができる以外に、抱き込み片の外側に片方の表裏表紙と例えば目次側の一部の綴じ込み紙を存在させるセットもできることで、ブックの厚みに制約を受けず、かつ幅の制約も受けずにセットできる。勿論ブックＡの幅の制約も受けない。【００４６】  そして、ストッパに近づけて抱き込み片を設けてあるので、ストッパから離反する方向へのブックのスライドを有効にとめることもできる。【００４７】  また、突出片によってブックのストッパに近い背表紙側の表紙を抱き込むので、ブックの背表紙部分をストッパから側方に脱出するように引き出し或いは押し出そうとしても突出片によって阻止する（反対方向の押し出しは、綴じ込み紙間の抱き込み片によって防止している）。【００４８】  このため、ブックの抜き取りが防止される。【００４９】  さらに、ショップ外に無断で持ちだそうとしても盗難防止タグによって検出するので、盗難を防止することもできる。【００５０】  また、ストッパと突出片との間隙に表紙と綴じ込み紙の一部を通過させることで、通過した綴じ込み紙を捲って目次などを見ることができ、販売向上に役立つ効果がある。【００５１】  さらに、ブックの表裏表紙の片方の表面に伸長状態にあるガイド筒と挿入板を重ねたのち、ガイド筒及び挿入板の少なくとも片方を収縮方向にスライドさせて、ブックの丈側の両面に抜け止め版を当接さながら、綴じ込み紙間に抱き込み片を食い込ませると共に、背表紙の表面にストッパを位置させて、係止関係になる係止手段により伸長を止めることで、ブックに対するセットが極めて簡単かつ迅速に行うことができる。【００５２】  また、抜け止め板や板状体に取付け保持手段を介し捲り防止具をセットすることで、陳列時のブックの捲りを阻止して立ち読みを防止することもできる。【００５３】  さらに、抜け止め板の裏面にストッパを有する板状体を重ねながら、貫窓に抱き込み片を貫通させてブックにセットすることで、セット時の板状体の離脱を貫窓に貫通した抱き込み片により防止し、そしてブックの背表紙の表面に位置するストッパと、片方の表裏表紙の外側に存在するガイド筒及び挿入板と、ブックの丈の両面に外接する抜け止め板と、抱き込み片による抱き込みとでブックの抜き取���が防止され、そして抱き込みによる捲りが阻止されるにともないショップでの陳列時の立ち読みが前述のような効果を発揮して防止し、又ガイド筒と挿入板との多段な係合手段により係合関係になる範囲内での丈の相違するブックにも用いることができ、更にブックのストッパの反対方向のスライドも綴じ込み紙間に食い込ませた抱き込み片によって阻止できる。【００５４】  また、抱き込み板によってブックの捲りを防止する。【００５５】  さらに、抱き込み板とストッパとの間の間隙に表紙と綴じ込み紙の一部を通過させることができるので、通過させた綴じ込み紙を捲って目次などを見ることができるので、販売向上に役立つ効果もあると共に、外側にはみ出すことで厚みのあるブックでもセットすることができる。【００５６】  また、抜け止め板の裏面に板状体を重ねて、保持手段により抜け止め板に板状体を取付け、ブックに対するセットにともない抱き込み片によりブック又はブックの綴じ込み紙を抱き込んで、ブックや綴じ込み紙の捲くりを阻止するので、立ち読みを防止する効果がある。【００５７】  また、ショップから無断で持ち出そうとしても盗難防止タグにより検出するので、盗難防止になる。
【発明を実施するための最良の形態】
【００５８】  以下、この発明の実施の形態を添付図面に基づいて説明する。【００５９】  この発明の第１の実施形態では、図１から図７に示すように、１、２は裏面が対向する対の抜け止め板である。【００６０】  上記抜け止め板１、２は、ブックＡの厚みと略同等の幅で、ブックＡの背表紙Ｂから背表紙Ｂに対向する面の方向に長い長方形になっている。【００６１】  また、一方の抜け止め板１の裏面一側には、上記裏面の反対方向に突出する挿入板３が、他方の抜け止め板２の裏面一側には、上記裏面の反対方向に突出すると共に、挿入板３の挿入をガイドするガイド筒４が設けてある。【００６２】  上記のガイド筒４は、図示の場合、挿入板４の幅よりも若干大きな幅の帯状板５と、この帯状板５の両側縁から連なって挿入板３の側縁をそれぞれ抱き込むコ字状の抱き込み部６とで構成したが、限定されず蟻溝や扁平な角筒或いは並列する二本の溝形材などであってもよい。要するに挿入板３を伸縮スライドするガイドするものであればよい。【００６３】  さらに、少なくとも片方の抜け止め板１又は２の片方には、ブックＡの背表紙Ｂの表面に位置するストッパ７が設けてある。【００６４】  上記のストッパ７は、図示の場合両方の抜け止め板１、２にそれぞれ設けてあるのが、限定されず片方のみであってもよい。【００６５】  そして、図示のようにストッパ７の裏面中途から尖端に向けて順次肉厚が薄くなるテーパー面部８を設けておくことで、背表紙Ｂの表面に向けて移動させるストッパ７のスライドがスムーズになる（背表紙Ｂの端縁に対する衝突を回避した。）【００６６】  また、抜け止め板１、２の裏面他側には一端側ストッパ７に近づく位置から他端方向に単数或いは点在的に複数のブックＡの綴じ込み紙Ｃ間に食い込ます抱き込み用の（綴じ込み紙Ｃの）抱き込み片９が設けてある。【００６７】  上記の抱き込み片９は、図示の場合複数並べたが、限定されず、一枚であってもよい、そして突出長さや幅も捲りをちゅうちょさせるよう適宜決定すればよい。【００６８】  そして、ストッパ７に対し抱き込み片９の側縁を近づける要因は、ブックＡの背表紙Ｂ部分を屈曲して外方へ引き出して、ブックＡが抜けるのを阻止することにある。例えば背表紙が弧状或いはＶ字状などのブックにあってはストッパのみでは引き抜きが阻止されないのをストッパ７に近づけた抱き込み片９により阻止する。【００６９】  なお、抱き込み片９のＶ字状の尖出縁に食い込み（突き刺し）に対し抵抗をなくするテーパー面部１０を設けておくことで、食い込みがスムーズになる。【００７０】  なお、抜け止め板１、２の一側のガイド筒４や挿入板３、他側の抱き込み片９は、側縁から連ねて或いは側縁部に設けてもよい。【００７１】  さらに、挿入板３とガイド筒４との対向面には、伸縮調整可能な係合関係になると共に、係合関係が多段な係合手段Ｋが設けてある。【００７２】  上記の係合手段Ｋは、図示の場合、ガイド筒４の帯状板５に挿入板３の挿入方向に設けた多段の係合部１１と、挿入板３の挿入方向端部にガイド筒４及び挿入板３の収縮方向のスライドにともない係合部１１を乗り越え、伸長方向のスライド時に係合部１１に係合関係になるように設けた係止爪１２とで構成したが、図示の並列する鋸歯状の係合部１１を例えば前後に所定の間隔を存して設けた透孔に（図示省略）変更することもでき、又係止爪１２も図示の場合挿入板３に挿入方向の左右に二条一組のスリット１３を入れて、このスリット１３間に帯状板５の裏面方向に突出する係止爪１２を一体的に設けて、係合部１１を乗り越える際係止爪１２を有するスリット１３が押し戻されるように（係合関係を解除する際も同様）したが、限定されず、その他の構成によって同様の目的を達成することもある。【００７３】  例えば係止爪１２を弾力性のある別の部品を取り付けたり、ガイド筒４に係止爪１２を、挿入板３に係合部１１を設けることもでき、又並列する左右二列の係合部１１の左右のピッチを半ピッチずれるように配置して、間歇停止ピッチを小さくしたり、更に係止爪１２をスライド方向前後に配置して、帯状板５の突出方向端部の係合部としての例えば透孔１４に手前の係止爪１２が係合関係になるようにしておくと（勿論、透孔１４に係止爪１２が係合関係になるようにしてもよい）、ガイド筒４と挿入板３の分解がなくなって、紛失などの問題を解消する。【００７４】  そして、ガイド筒４を不透明な材料により形成すると、係合部１１と係止爪１２との係合関係の部分を隠蔽することができ、挿入板３を透明な材料により形成しておくと、ブックＡのバーコードに挿入板３が重なっても検知することができる。【００７５】  上記のように構成すると、ブックＡの表裏表紙Ｄの片方の表面に伸長状態にあるガイド筒４及び挿入板３を載置して重ねたのち、図３に示すようにガイド筒４をスライドさせながら、綴じ込み紙Ｃ間に抱き込み片９を突き刺し（食い込ませ）、次いで挿入板３を収縮方向にスライドさせながら、綴じ込み紙Ｃ間に抱き込み片９を突き刺して（食い込ませ）、図４に示すようにブックＡにガイド筒４及び挿入板３をセットすると共に、この状況下に係合部１１と係止爪１２との係合関係によってガイド筒４及び挿入板３の伸長方向のスライドを止める。【００７６】  なお、ガイド筒４及び挿入板３を同時に収縮方向にスライドさせることもある。【００７７】  このとき、ブックＡの背表紙Ｂの表面にストッパ７が位置して、ストッパ７の方向へのブックＡのスライドを阻止し、又ストッパ７の反対方向にブックＡをスライドさせて引き抜こうとして、綴じ込み紙Ｃ間に食い込んでいる抱き込み片９が綴じ込み紙Ｃの綴じ代に突き当って引抜を阻止する。【００７８】  また、抱き込み片９をストッパ７に近づけてあるので、ブックＡの引き抜き方向のスライドが僅少になり、又ストッパ７側の背表紙Ｂ部分を屈曲させて引き抜こうとしても、抱き込み片９によって阻止する。【００７９】  すると、ブックＡの表裏表紙Ｄの片方と大部分の綴じ込み紙Ｃとがガイド筒４と挿入板３及び抱き込み片９とで抱き込まれているので、陳列時の立ち読みを防止する。すなわち、抱き込まれた綴じ込み紙Ｃを捲ろうとしても、スムーズに捲ることができず、捲ろうとする行為に対しちゅうちょさせることになる。そして無理矢理捲ると綴じ込み紙Ｃが抱き込み片９に引っかかって破れるので、尚一層ちゅうちょさせることになる。【００８０】  なお、図４に示すように、セットしたガイド筒４及び挿入板３のストッ��７の反対側の縁部分を、ブックＡの背表紙Ｂと背表紙Ｂに対向する辺縁間の中間よりも前記辺縁側にはみ出すようにしておくと、ブックＡを平らに積み重ねて陳列した際の荷崩れをなくすことができる。【００８１】  上記平らに積み重ねた際の荷くずれ防止をガイド筒４と挿入板３及び突片３２の重なり位置を（突出片３１も含む）上述の条件を満たすように設定する。【００８２】  上記ガイド筒４及び挿入板３の長さも、ブックＡの丈の大、中、小などのあわせて、複数の長さの異なるものを用意して対応し、或る程度の丈の長い短かいは、伸縮調整によって対応する。【００８３】  以上のように、ブックＡに対するブックの立ち読み防止装置を極めて容易にセットすることができる。【００８４】  また、図５に示すように、透明なフイルムＦによって包装してあるブックＡにあっても、フイルムＦに抱き込み片９を突き刺して、綴じ込み紙Ｃを抱き込む。【００８５】  なお、ブックＢの厚みが薄い場合、抱き込み片９により表裏表紙Ｄを抱き込むこともでき、ブックＡの厚みが厚い場合、抱き込み片９の外側に片方の表裏表紙Ｄや綴じ込み紙Ｃを存在させるため、ブックＡの厚みの制約を受けないと共に、ストッパ７の反対側の捲りを有効に止める。【００８６】  ブックＡの販売に際し、図５に示すように、ブックＡにセットしてあるガイド筒４及び挿入板３をショップ側に回収する場合は、抜け止め板２の対の貫通孔２１に図９に示す解除具２２の二列の解除板２３を貫通させて押し込む。【００８７】  このとき、ガイド筒４の帯状板５の裏面で、貫通孔２１に合致させて設けてある筒状のガイド２４によって解除板２３の直進を保障する。【００８８】  すると、解除板２３の先端の突片２５が係止爪１２に当接して、図１０に示すように係止爪１２を押し戻すので、係止爪１２と係合部１１との係合関係が解除される。【００８９】  なお、図１０に示すように係止爪１２の後方に係止爪１２が設けてある場合、係止爪１２も当然押し戻されて、係止部１１と係止爪１２との係合関係も解除される。【００９０】  そして、解除具２２の引っかけ爪２６を押圧して、ガイド筒４の孔２７に引っかけ爪２６を掛合し、掛合状況下で解除具２２を手元側に引っ張ると、共にガイド筒４も引っ張られてスライドし、スライドにともない図１１に示すように綴じ込み紙Ｃから抜け止め板２側の抱き込み片９が脱出（引き抜かれる）する。【００９１】  次に図１１実線位置から鎖線位置に示すように解除具２２のグリップ側を引き上げて、脱出した抱き込み片９とブックＡとの引っかかりをなくした状態で、図１２に示すように、ガイド筒４と共に挿入板３を押し出して、ブックＡから抜け止め板１側の抱き込み片９を綴じ込み紙Ｃから脱出（引き抜く）することで、ブックＡからガイド筒４及び挿入板３を取り外して回収する。【００９２】  なお、この取り外した状況下に図１１、１２に示すように透孔１４に係止爪１２が係合しているので、ガイド筒４と挿入板３の分離がない。【００９３】  なお、係合部１１と係止爪１２との係合関係の解除は、前述の方式に限定されず、例えば係止爪１２に磁吸される鉄片を用いて、磁石により係止爪１２を磁吸することで係合関係を解除したり、或いは解除具の突起を孔に貫通させて、突起により係止爪を押し戻しながら、係合関係を解除する方式などを採用してもよい。【００９４】  また、所望の綴じ込み紙Ｃにガイド筒４及び挿入板３を重ねて（図１５に示すように）セットすることもある。【００９５】  なお、抱き込み片９は、綴じ込み紙Ｃの抱き込みに限定されず、図１６に示すように表裏表紙Ｄを抱き込むこともできる。【００９６】  この発明の第２の実施形態では、図１、２、３、４に示すように、第１実施形態の抜け止め板１、２の裏面一側の一端（図示ストッパ７側）には、ブックＡの背表紙Ｂ側の通過を阻止するブックＡの抱き込み突出片３１が設けてある。【００９７】  上記の突出片３１は、図示の場合、ストッパ７の側縁に接続（連なって）して設けてある。【００９８】  すると、ストッパ７の外方への引っ張りにともなう破断、損傷がない。【００９９】  勿論、ストッパ７の側縁に対し切り離してあっても目的を達成することができる。【０１００】  上記のように構成すると、ストッパ７の内側の背表紙Ｂを引っ張りながら引き抜こうとしても、突出片３１により阻止する。【０１０１】  特にブックＡの背表紙Ｂが、Ｕ字状やＶ字状などの場合、突出片３１がないと引き抜かれるのを、突出片３１によって阻止する。【０１０２】  図中３２は表裏表紙Ｄの抱き込み突片である。【０１０３】  この発明の第３の実施形態では、図１３から図１４に示すように、第１の実施形態のストッパ７の側縁と突出片３１の側縁（対向縁）との間には、ブックＡの片方の表裏表紙Ｄと一部の綴込み紙Ｃの通過を許容する間隙４１が設けてある。【０１０４】  すると、ブックＡにガイド筒４と挿入板３とをセットする際、片方の表裏表紙Ｄと一部の綴込み紙Ｃを通過させてガイド筒４と挿入板３との表側に図１５に示すように片方の表裏表紙Ｄと綴込み紙Ｃとを存在させることができるため、存在した綴込み紙Ｃを捲って目次などを見ることができて、販売促進に効果を発揮する以外に、厚いブックＡに対するセットが可能になる。【０１０５】  この発明の第４の実施形態では、第１の実施形態の抜け止め板１、２、ストッパ７、ガイド筒４、挿入板３のいずれかに盗難防止タグ４２を設けておく。【０１０６】  上記の盗難防止タグ４２は、図示の場合（図２に示す）、挿入板３の裏面凹入部４３に挿入板３のスライドを阻害しないように取り付けてあるが、剥がされないよう（取り外れないように）その他の所望の位置の取付けてもよい。【０１０７】  上記の盗難防止タグ４２は、例えば周知のように固有のＩＤコードをもち、ショップの出入り口を通過の際、出入り口に設置してある電磁界の発生により共振回路が共振して固有のＩＤコードの発信にともない高周波電磁界を変調させて、ショップからの持ち出しを検出するようになっている。【０１０８】  すると、ショップからの持ち出しによる盗難を防止することができる。【０１０９】  なお、ガイド筒４及び挿入板３のセット後にブックＡをフイルムで包装するともできる。【０１１０】  上記抱き込み片９の突出長さは、例えば綴じ込み紙Ｃの捲りを阻止する、ちゅうちょさせる長さに（長い程よい）する。【０１１１】  この発明の第５の実施形態では、図１７に示すように、取付け保持手段Ｍを有する基板５２と、この基板５２の側縁から基板５２の裏面の反対方向に突出する抱き込み板５３とでブックＡの捲くり防止具Ｅを形成する。【０１１２】  上記の取付け保持手段Ｍは、図１７に示す場合、基板５２に貫通孔５１を設けて、図１８、１９に示すように、第１、２、３の実施形態の抱き込み片９を貫通孔５１に貫通させながら、抜け止め板１、２の裏面に基板５２を重なるように配置して保持させるようにしたが、限定されず、例えば第６、７、８、９の実施形態の板状体５６の裏面に重ねて配置（図示省略）することもできる。【０１１３】  そして、取付け保持手段Ｍも上記の貫通孔５１の方式にかえて、例えば図３８、３９に示すように抜け止め板１、２と基板５２との重なり面や、板状体５６と基板５２との重なり面一方の突軸９１と他方の穴や透孔９２を（単数、複数配置することもでき、回動を止めるように角軸と角孔とすることもある）嵌合して保持することもある。【０１１４】  上記基板５２の両側縁間の幅は、抜け止め板１、２の幅と同等もしくは大きく、或いは小さくて、基板５２の両端間の長さは、例えば抜け止め板１、２の長さと略同長とし、このとき、基板５２の両端部に貫通孔５１を設けたが、限定されず、図示のように抜け止め板１、２のストッパ７の反対側端部に重ねて使用する短い長さのものであってもよい。【０１１５】  そして、図示の場合、基板５２の両側縁から対向する抱き込み板５３、５４を突出させて、図１９に示すように一方の抱き込み板５３によりブックＡの表紙Ｄの表面を抱き込み、もう一方の抱き込み板５４を綴じ込み紙Ｃ間に突き刺して綴じ込み紙Ｃを抱き込むようにしたが、限定されず、抱き込み板５３のみでブックＡの表紙Ｄや表紙Ｄの内側の綴じ込み紙Ｃを残して綴じ込み紙Ｃを抱き込んで（この状況は、ブックＡの厚みに制約を受けないため）、陳列時の捲りを阻止する。【０１１６】  勿論、両抱き込み板５３、５４によって両表紙Ｄ（表裏側の）を抱き込むことができる。【０１１７】  そして、図示のように、片方の抱き込み板５４の突出端を綴じ込み紙Ｃに突き刺すためＶ字状（Ｖ字状にかえてレ字状にすることもある）にして、突き刺しがスムーズに行うことができるようのし、又尖出縁にテーパー面部５５を設けて突き刺しの抵抗を軽減する。【０１１８】  勿論、抱き込み板５３の突出端を上述のようにＶ字状に加工しておくこともある。【０１１９】  なお、図示のように貫通孔５１を基板５２の幅方向に長く（大きく）しておくと、ブックＡの厚み方向に基板５２をスライドさせて、ブックの捲り防止具Ｅのセット位置を自由に決める（ブックの厚みに応じて）ことができる。【０１２０】  次にブックの捲り防止具Ｅの使用方法を説明する。【０１２１】  まず、貫通孔５１に抱き込み片９を貫通させながら、抜け止め板１、２の重面に基板５２を重ねておく。【０１２２】  次に第１の実施形態と同様の手順をへてブックＡに抜け止め板１、２を有する挿入板３及びガイド筒４をセットする。【０１２３】  セットの手順及び抱き込み片９の作用効果は、第１の実施形態と同様につき説明を省略する。【０１２４】  すると、図１８、１９に示すように、ブックＡの表裏表紙Ｄの片方の表面に抱き込み板５３が外接し、綴じ込み紙Ｃ間に抱き込み板���４が突き刺さって、抱き込み板５３、５４によりブックＡを抱き込むので、抱き込まれたブックＡの捲りが阻止され、陳列時の立ち読みを防止する。【０１２５】  なお、抱き込み板５３の突出長さは、捲る動作をちゅうちょさせ、或いは引っかかりによって破れることによるちゅうちょさせる突出長さに決定すればよい。【０１２６】  なお、貫通孔５１を図示のように基板５２の両側縁間に方形状に設けておくと、ブックの捲り防止具Ｅを抜け止め板１、２の幅方向に移動させて使用することができるようにしたが、限定されず、抱き込み片９の外周形状の長孔とすることもでき、又ブックの捲り防止具Ｅは、図示の両抜け止め板１、２の両方に使用したが、限定されず、抜け止め板１、２の片方のみに使用することができる。【０１２７】  この発明の第６の実施形態では、図２に示すように、第１の実施形態のストッパ７のない対の抜け止め板１、２の裏面に板状体５６をそれぞれ重ねる。【０１２８】  このとき、板状体５６に設けてある貫孔５７に抜け止め板１、２の裏面から突出する抱き込み片９を貫通させる。【０１２９】  勿論、両抜け止め板１、２には、第１の実施形態の挿入板３、ガイド筒４及び伸縮調整可能な多段の係合手段Ｋが設けてある。【０１３０】  上記の抱き込み片９を有する板状体１、２、挿入板３、ガイド筒４及び係合手段Ｋの構成、作用及び効果は、第１の実施形態と同様につき説明を省略する。【０１３１】  上記の貫孔５７は、図示の場合板状体５６の両側縁間に方形状に形成して、抜け止め板１、２の幅方向に板状体５６を若干スライドできて、ブックＡの厚みが大きくなっても対応することができるようにしたが、限定されず、貫孔５７を抱き込み片９の周囲形状に合致する長孔としてもよい。【０１３２】  また、板状体５６の一端には、ブックＡの背表紙Ｂの表面に位置するストッパ５８が設けてある。【０１３３】  次に使用状態を説明する。【０１３４】まず貫孔５７に抱き込み片９を貫通させて抜け止め板１、２の裏面に板状体５６を重ねる。【０１３５】  勿論、板状体５６は、両抜け止め板１、２に重ねておく場合と、両抜け止め板１、２の片方に重ねておく場合とがある。【０１３６】  その後に第１の実施形態と同様の手順をへてブックＡにセットする（図２１、２２に示すように）。【０１３７】  上記のセット方式は、第１の実施形態と同様につき説明を省略する。【０１３８】  セットした状況下でのブックＡの抜け止めは、ブックＡの丈の両面に外接する板状体５６を重ねてある抜け止め板１、２、ブックＡの背表紙Ｂの表面に位置するストッパ５８、ブックＡの表紙Ｄの表面に位置する挿入板３及びガイド筒４、綴じ込み紙Ｃに突き刺さった抱き込み片９により阻止する。【０１３９】  そして、陳列時のブックＡの捲りを挿入板３及びガイド筒４と、抱き込み片９により阻止して、立ち読みを防止（ちゅうちょさせて）する。【０１４０】  また、図２３に示すように板状体５６の側縁からストッパ５８の突出方向に抱き込み片５９（図示の点在的な配置に限定されない）を設けて、この抱き込み片５９により図２４から図２６に示すように更に綴じ込み紙Ｃや表紙Ｄを抱き込むと、捲りが阻止できると共に、板状体５６の幅方向の移動を止める。【０１４���】  勿論、貫孔５７に貫通する抱き込み片９によって板状体５６が外れない。【０１４２】  なお、抱き込み片５９の突出長さは、捲くりをちゅうちょさせる長さに適宜決定すればよい、そして板状体５６の長さも適宜決定する。【０１４３】  この発明の第７の実施形態では、図２７から図２９に示すように第６の実施形態の板状体５６の挿入板３やガイド筒４の反対側の側縁には、ストッパ５８の突出方向に突出するブックＡの抱き込み板６０が設けてある。【０１４４】  すると、図２８、２９に示すようにセットの状況下にブックＡの表紙Ｄを抱き込むので、ブックＡの捲りが阻止され、立ち読みを防止する。【０１４５】  上記抱き込み板６０は、図示の場合板状体５６の側縁全長に設けたが、点在的に設けてもよい。【０１４６】  なお、ブックＡに対するセットは、第１の実施形態と同様につき説明を省略する。【０１４７】  セットした状況下でのブックＡの抜け止めは、第６の実施形態と同様につき説明を省略する。【０１４８】  この発明の第８の実施形態では、図３０から図３４に示すように、第７の実施形態の抱き込み板６０の側縁とストッパ５８との間には、ブックＡの表紙Ｄと綴じ込み紙Ｃの一部が通過する間隙６２が設けてある。【０１４９】  すると、図３３に示すように間隙６２にセットした際のブックＡの表紙Ｄと綴じ込み紙Ｃの一部を通過させることができ、通過した綴じ込み紙Ｃを捲ることが出きるので、目次などを見ることができる。【０１５０】  なお、ブックＡに対するセットは、第１の実施形態と同様につき、またセットした状況下でのブックＡの抜け止めは、第６の実施形態と同様につき説明を省略する。【０１５１】  勿論、抱き込み板６０によって抱き込まれた綴じ込み紙Ｃを捲ることができないので、立ち読みを防止する。【０１５２】  この発明の第９の実施形態では、図３４から図３６に示すように裏面が対向する対の抜け止め板１、２と、この一方の抜け止め板１の裏面一側縁から裏面の反対方向に突出する挿入板３と、他方の裏面一側縁から裏面の反対方向に突出すると共に、挿入板３を挿入するガイド筒４と、この挿入板３とガイド筒４との対向面に伸縮調整可能な係合関係になるように設けた多段の係合手段Ｋと、少なくとも片方の抜け止め板１、２の裏面一端から多端方向に重ねる板状体５６と、この重なった板状体５６と抜け止め板１、２と結合手段Ｎと、板状体５６の一端から板状体５６の裏面の反対方向に突出してブックＡの背表紙Ｂの表面に位置するストッパ５８と、板状体５６の裏面ストッパ５８側端から反対方向に単数或いは点在的に複数設けたブックＡ又はブックの綴じ込み紙Ｃを抱き込む抱き込み片６２とからなる。【０１５３】  上記の結合手段Ｎは、図示の場合抜け止め板１、２と板状体５６の一方に設けた透孔６２と、この透孔６２に嵌入する突軸６４とで構成したが同目的を達成する他の結合方式を採用することもある。要するに、重なり合った抜け止め板１、２に対し板状体５６を移動しないように取り付ける。【０１５４】  上記の抜け止め板１、２、挿入板３及びガイド筒４、係止手段Ｋ、抱き込み片６２は、第１の実施形態と同様につき、ストッパ５８を有する板状体５６は、第６の実施形態と同様につき説明を省略する。【０１５５】  次に使用方法を説明する。【０１５６】  まず少なくとも片方の抜け止め板１、２の裏面に板状体５６を重ねると共に、結合手段Ｎにより抜け止め板１、２に板状体５６を結合（取り付けて）する。【０１５７】  その後に第１の実施形態の手順をへてブックＡにセット（図３１、３２）に示すようにする。【０１５８】  上記のセット方式は、第１の実施形態と同様につき説明を省略する。【０１５９】  このとき、ブックＡの綴じ込み紙Ｃに抱き込み片６２が突き刺さる。【０１６０】  セットした状況下でのブックＡの抜け止めは、ブックＡの丈の両面に外接する板状体５６、ブックＡの背表紙Ｂの表面に位置するストッパ５８、ブックＡの表紙Ｄの表側の挿入板３及びガイド筒４、そして綴じ込み紙Ｃに突き刺さる抱き込み片６２によって阻止する。【０１６１】  そして、陳列時のブックＡの捲りを突き刺さった抱き込み片６２による抱き込みにより阻止して、立ち読みを防止する。【０１６２】  なお、前記第６、第７、第８及び第９の実施形態の解除具２２を用いたブックからの板状体５６を重ねてある抜け止め板１、２及び挿入板３、ガイド筒４の回収するための取り外しは、第１の実施形態と同様につき説明を省略する。【０１６３】  この発明の第１０の実施形態では、第６、第７、第８、第９の実施形態の抜け止め板１、２、挿入板３、ガイド筒４、ストッパ５８、板状体５６、抱き込み片５９、６２、抱き込み板６０のいずれかには、盗難防止タグ４２が設けてある。【０１６４】  上記の盗難防止タグ４２及び検出方法は、第４の実施形態と同様につき説明を省略する。【０１６５】  すると、ショップからの持ち出しによる盗難を防止する。【０１６６】  なお、ブックＡがフイルムで包装してあってもセットすることができる。【０１６７】  また、第７、第８及び第９の実施形態の変形組み合わせとして、図３７に示すように、それぞれに係合手段Ｋ付の挿入板３、ガイド筒４を有する対の抜け止め板１、２の一端にストッパ７を設ける。【０１６８】  上記の抜け止め板１、２、挿入板３、ガイド筒４、係合手段Ｋ及びストッパ７の構成、作用は、第１の実施形態と同様につき説明を省略する。【０１６９】  そして、両抜け止め板１、２の裏面に板状体５６をそれぞれ重ねる。【０１７０】  上記重ねた板状体５６は、図示の場合、貫孔５７と、この貫孔５７に貫通する抱き込み片９とで結合して分解できないようになっているが、第９の実施形態の係合手段Ｎ（図示省略）を介し分解できないようにすることもできる。【０１７１】  また、板状体５６の少なくとも片方の側縁（例えば挿入板３やガイド筒４の反対側の）には、第７の実施形態と同様のブックＡや綴じ込み紙Ｃの抱き込み片５９を設けておく。【０１７２】  さらに、板状体５６の裏面ストッパ７側の端部にブックＡや綴じ込み紙Ｃの（突き刺す）抱き込み片９を設けておく。【０１７３】  すると、第１、第７、第８及び第９の実施形態と同様にブックＡにセットすることで同様の作用効果がある（ストッパ７及び抱き込み片９、又抱き込み片５９による）。【０１７４】  なお、上記各実施例の抱き込み片５９の尖出縁にも抱き込み片９と同様のテーパー面部１０が設けてある。【０１７５】  勿論、第６の実施形態から第９の実施形態及び変形の実施形態の実施形態にあってもブックＡの抜き取り阻止の突出片３１が設けてある。【０１７６】  この発明の第１０の実施形態では、図４０に示すように、裏面が対向する対の抜け止め板１、２の一端には、第１の実施形態と同様のストッパ７が設けてあり、両抜け止め板１、２の裏面一側縁には、第１の実施形態と同様の係合手段Ｋ付の挿入板３、ガイド筒４が設けてある。【０１７７】  上記のストッパ７付の抜け止め板１、２、挿入板３、ガイド筒４、係合手段Ｋの構成及び作用効果、そして係合手段Ｋ係合関係の解除は、第１の実施形態と同様につき説明を省略する。【０１７８】  また、上記抜け止め板１、２の少なくとも片方の裏面（図示の場合、両抜け止め板１、２の両方に）には、板状体５６を重ね、この重なり面には、移動や脱落防止の結合手段Ｎが設けてある。【０１７９】  上記の結合手段Ｎは、例えば図示の場合第９の実施形態と同様の方式を採用する。【０１８０】  上記の結合手段Ｎは、第９の実施形態と同様につき説明を省略する。【０１８１】  さらに、板状体５６には、ブックＡ又はブックＡの綴じ込み紙Ｃの抱き込み片６２が設けてある。【０１８２】  上記の抱き込み片６２は、第１の実施形態と同様につき構成の説明を省略する。【０１８３】  次に使用方法を説明する。【０１８４】  第９の実施形態と同様の手順をへてブックＡにセットする。【０１８５】  上記セット方式は、第１の実施形態と同様につき説明を省略する。【０１８６】  すると、ブックＡの表裏表紙Ｄの表面に抱き込み片６２が位置し、又は綴じ込み紙Ｃに抱き込み片６２が突き刺ささり、陳列時の立ち読みのための捲くりを抱き込み片６２により防止する。【０１８７】  勿論、セット状況下でのブックＡの抜き取りを、ストッパ７、挿入板３、ガイド筒４、対の抜け止め板１、２により防止する。【０１８８】  なお、抜け止め板１、２、板状体５６、挿入板３、ガイド筒４のいずれかに第４の実施形態と同様の盗難防止タグ４２を設けておく。【０１８９】  上記の盗難防止タグ４２は、第４の実施形態と同様につき構成の説明を省略する。【０１９０】  すると、ショップからの持ち出しが検出される。
【図面の簡単な説明】
【０１９１】
【図１】  この発明の第１から第３の実施形態を示す表面側の斜視図
【図２】  同裏面側の斜面図
【図３】  ブックに対するセットを示す平面図
【図４】  セットした状態を示す平面図
【図５】  フイルムにより包装したセットを示す一部切欠正面図
【図６】  セットした状態での縦断正面図
【図７】  係合手段の部分を示す縦断拡大正面図
【図８】  同横縦断側面図
【図９】  解除具の斜面図
【図１０】  解除を示す縦断正面図
【図１１】  取り外しの工程を示す縦断正面図
【図１２】  同縦断正面図
【図１３】  第３の実施形態を示す斜視図
【図１４】  ブックに対するセットを示す平面図
【図１５】  同横断拡大側面図
【図１６】  第１の実施形態の他のセットを示す縦断正面図
【図１７】  第５の実施形態を示す斜視図
【図１８】  使用状態を示す平面図
【図１９】  同上の縦断正面図
【図２０】  第６の実施形態の分解斜視図
【図２１】  ブックに対するセットを示す一部切欠平面図
【図２２】  同上の縦断正面図
【図２３】  第６の実施形態の他の例を示す分解斜視図
【図２４】  ブックに対するセットを示す一部切欠平面図
【図２５】  同上の縦断正面図
【図２６】  他のセットの縦断正面図
【図２７】  第７の実施形態を示す分解斜視図
【図２８】  ブックに対するセットを示す平面図
【図２９】  同上の縦断正面図
【図３０】  第８の実施形態を示す分解斜視図
【図３１】  ブックに対するセットを示す一部切欠平面図
【図３２】  同上の縦断正面図
【図３３】  同セットの縦断側面図
【図３４】  第９の実施形態を示す分解斜視図
【図３５】  ブックに対するセットを示す一部切欠平面図
【図３６】  同上の縦断正面図
【図３７】  第７、８及び９の変形の実施形態を示す分解斜視図
【図３８】  取付け保持手段の例を示す縦断平面図
【図３９】  同縦断平面図
【図４０】  第１０の実施形態を示す分解斜視図
【図４１】  従来例を示す斜視図
【図４２】  他の従来例を示す斜視図
【符号の説明】
【０１９２】Ａ              ブック
Ｂ              背表紙
Ｃ              綴じ込み紙
Ｄ              表裏表紙
Ｋ              係合手段
１、２          抜け止め板
３              挿入板
４              ガイド筒
５              帯状板
６              抱き込み部
７              ストッパ
８              テーパー面部
９              抱き込み片
１０            テーパー面部
１１            係合部
１２            係止爪
１３            スリット
１４            透孔
２１            貫通孔
２２            解除具
２３            解除板
２４            ガイド
２５            突片
２６            引っかけ爪
２７            孔
３１            突出片
４１            間隙
４２            盗難防止タグ
４３            凹入部
Ｅ              ブックの捲り防止具
５１            貫通孔
５２            基板
５３、５４      抱き込み板
５６            板状体
５７            貫孔
５８            ストッパ
５９            抱き込み片
６０            抱き込み板
６１            間隙
Ｎ              結合手段
６２            抱き込み片
６３            透孔
６４            突軸
Ｍ              取付け保持手段
９１            突軸
９２            透孔
【図１】
2008104837.tif 000003
【図２】
2008104837.tif 000004
【図３】
2008104837.tif 000005
【図４】
2008104837.tif 000006
【図５】
2008104837.tif 000007
【図６】
2008104837.tif 000008
【図７】
2008104837.tif 000009
【図８】
2008104837.tif 000010
【図９】
2008104837.tif 000011
【図１０】
2008104837.tif 000012
【図１１】
2008104837.tif 000013
【図１２】
2008104837.tif 000014
【図１３】
2008104837.tif 000015
【図１４】
2008104837.tif 000016
【図１５】
2008104837.tif 000017
【図１６】
2008104837.tif 000018
【図１７】
2008104837.tif 000019
【図１８】
2008104837.tif 000020
【図１９】
2008104837.tif 000021
【図２０】
2008104837.tif 000022
【図２１】
2008104837.tif 000023
【図２２】
2008104837.tif 000024
【図２３】
2008104837.tif 000025
【図２４】
2008104837.tif 000026
【図２５】
2008104837.tif 000027
【図２６】
2008104837.tif 000028
【図２７】
2008104837.tif 000029
【図２８】
2008104837.tif 000030
【図２９】
2008104837.tif 000031
【図３０】
2008104837.tif 000032
【図３１】
2008104837.tif 000033
【図３２】
2008104837.tif 000034
【図３３】
2008104837.tif 000035
【図３４】
2008104837.tif 000036
【図３５】
2008104837.tif 000037
【図３６】
2008104837.tif 000038
【図３７】
2008104837.tif 000039
【図３８】
2008104837.tif 000040
【図３９】
2008104837.tif 000041
【図４０】
2008104837.tif 000042
【図４１】
2008104837.tif 000043
【図４２】
2008104837.tif 000044